(57)【要約】  本発明は、内部が中空された円筒状を有し、上下に長く形成され、一側には、ホース（Ｈ）が結合される取っ手部（１０）と、前記取っ手部（１０）の他側に結合され、前記ホース（Ｈ）から供給される水を一側に案内する連結部（１８）と、前記連結部（１８）の一側に形成され、内部が中空された円筒状からなり、内部に複数の部品が設けられるヘッド部（２０）と、前記ヘッド部（２０）の内部に設けられ、前記ヘッド部（２０）の内部に伝達される水を殺菌及び浄化するレドックスリアクター（２２）と、前記ヘッド部（２０）の一面に設けられ、複数の供給孔（４２）が通孔され、前記レドックスリアクター（２２）を経て殺菌及び浄化された水が水圧によって噴射される浄水供給板（４０）と、前記浄水供給板（４０）の一面に設けられ、前記供給孔（４２）と対応される噴射孔（５６）が複数形成され、前記浄水供給板（４０）を介して噴射される水を外部に噴射する噴射板（５０）を含み、前記浄水供給板（４０）と前記噴射板（５０）は、互いに所定間離隔隔されるように設けられ、離隔された空間の間に外部の空気が流入され、水に気泡を形成することによって、バブル水が噴射される、ことを特徴とする殺菌浄化シャワー器に関する。このような本発明によれば、別の殺菌作業を行わなくても、水が殺菌及び浄化された状態でシャワー器に供給され、皮膚疾患がある患者やアトピー疾患を有するユーザーなど様々なユーザーが洗滌を行うことができるので、洗滌時間が短縮され、洗滌効率性を向上させる効果がある。また、浄水供給板と噴射板との間に空気流入空間が形成され、外部の空気が供給ノズルを介して吐出される浄水に混合され、バブル水が生成されるので、水の使用量を減少させることができ、水圧が増大されて節水による使用効率性を向上させる利点がある。【選択図】  図１
2017517359.tif 000002
【特許請求の範囲】
【請求項１】
内部が中空された円筒状を有し、上下に長く形成され、一側には、ホース（Ｈ）が結合される取っ手部（１０）と、
前記取っ手部（１０）の他側に結合され、前記ホース（Ｈ）から供給される水を一側に案内する連結部（１８）と、
前記連結部（１８）の一側に形成され、内部が中空された円筒状からなり、内部に複数の部品が設けられるヘッド部（２０）と、
前記ヘッド部（２０）の内部に設けられ、前記ヘッド部（２０）の内部に伝達される水を殺菌及び浄化するレドックスリアクター（２２）と、
前記ヘッド部（２０）の一面に設けられ、複数の供給孔（４２）が通孔され、前記レドックスリアクター（２２）を経て殺菌及び浄化された水が水圧によって噴射される浄水供給板（４０）と、
前記浄水供給板（４０）の一面に設けられ、前記供給孔（４２）と対応される噴射孔（５６）が複数形成され、前記浄水供給板（４０）を介して噴射される水を外部に噴射する噴射板（５０）を含み、
前記浄水供給板（４０）と前記噴射板（５０）は、互いに所定間離隔隔されるように設けられ、離隔された空間の間に外部の空気が流入され、水に気泡を形成することによって、バブル水が噴射される、ことを特徴とする殺菌浄化シャワー器。
【請求項２】
前記レドックスリアクター（２２）は、円筒状を有し、内部に円形リング状の中空部（２６）が形成されるフィルタケース（２４）と、
前記フィルタケース（２４）の外周面に設けられ、微細な通孔が複数個形成され、内部に水を供給する吸収壁体（２８）と、
前記フィルタケース（２４）の中空部（２６）に設けられ、水と酸化還元反応して水を殺菌及び浄化するレドックスフィルタ（３０）と、
前記フィルタケース（２４）の中央に左右に貫通形成され、前記レドックスフィルタ（３０）を通過して殺菌及び浄化された浄水が外部に排出されるように案内する複数個の浄水排出孔（３４）を含むことを特徴とする請求項１に記載の殺菌浄化シャワー器。
【請求項３】
更に、前記噴射板（５０）の中央には、前記浄水供給板（４０）と前記噴射板（５０）との間の離隔距離を調節する間隔調節部材（７０）が備えられ、
前記間隔調節部材（７０）は、前記噴射板（５０）の中央に上下に貫通形成される挿入孔（５８）に貫通挿入され、前記浄水供給板（４０）の中央にネジ結合され、前記間隔調節部材（７０）の回転によって離隔距離が調節されることを特徴とする請求項１に記載の殺菌浄化シャワー器。
【請求項４】
更に、前記取っ手部（１０）の中空部の内部には、円筒状を有し、水と酸化還元反応して水を殺菌及び浄化する補助フィルタ（１６）が備えられることを特徴とする請求項１に記載の殺菌浄化シャワー器。
【請求項５】
更に、前記噴射板（５０）と前記浄水供給板（４０）との間には、付勢部材（７４）が備えられ、前記付勢部材（７４）の上端部は、前記浄水供給板（４０）に一側に陥没形成される上部固定溝（７６）の内部に設けられ、前記付勢部材（７４）の下端部は、前記噴射板（５０）に一側に陥没形成される下部固定溝（７８）の内部に設けられ、前記噴射板（５０）が下部方向に付勢支持されることを特徴とする請求項３に記載の殺菌浄化シャワー器。
【発明の詳細な説明】
【技術分野】
【０００１】
本発明は、殺菌浄化シャワー器に関し、ヘッド部または取っ手部の内部にレドックスフィルタが設けられ、水を殺菌及び浄化して供給し、浄水供給板と噴射板との間に空気流入空間が設けられ、供給ノズルを介して高速で噴射される水によって圧力低下が生じられ、空気が強制に流入されて水と空気が混合噴射される殺菌浄化シャワー器に関する。
【背景技術】
【０００２】
一般的に、シャワー器は、水道栓に連結して、シャワー器のヘッドに形成されたノズル孔を介して水を吐出しながらシャワーを浴びるものである。
【０００３】
このようなシャワー器は、水を水圧によってノズル孔を介して吐出するので、水の供給量を減らすと、水圧が落ちて水の吐出圧が弱くなるので、シャワーを効果的に浴びるのが困難な問題点があった。
【０００４】
このため、シャワー器の水供給量を減らさずに、水の水圧を維持しながら使用するので、水の無駄遣いが激しい非経済的な問題点があった。
【０００５】
このような問題点を改善しようとシャワー器ヘッドに供給される水の量を減らしても、外部空気を吸入して水の水圧を高めるので、節水可能な空気吸入式節水シャワー器が大韓民国公開特許公報第１０−２０１１−５７９９２号に記載されている。
【０００６】
しかし、前記した従来の空気吸入式節水シャワー器は、次のような問題点があった。
【０００７】
先ず、シャワー器ヘッド内部の水放出管を通過する水と水放出管側方の外部空気吸入口を介して流入される外部空気が混合される形態ではないので、外部空気が水の水圧を効果的に高めることができない限界を有していた。
【０００８】
すなわち、前記外部空気が水放出管を介して供給される水の水圧上昇を効果的に誘導することができず、これにより、水の供給量を減らす場合に、水圧が落ちる従来技術の問題点を根本的に解決することができず、節水に限界を有していた。
【０００９】
また、前記外部空気吸入口が水放出管の外側に貫通された形態で、外部空気の吸入効率が落ちて水圧増大に効率的でないので、節水に限界を有していた。
【００１０】
そして、このようなシャワー器の内部には、水を浄化するためのフィルタが内蔵されず、化学薬品処理された水がユーザーに噴射され、アトピー及び皮膚疾患者の皮膚疾患が悪化する問題点があった。
【発明の概要】
【発明が解決しようとする課題】
【００１１】
従って、本発明の目的は、前記したような従来技術の問題点を解決するためのものであって、取っ手部またはヘッド部にそれぞれ水と酸化還元反応するレドックスリアクター素材の補助フィルタと、レドックスリアクターが設けられて、水を殺菌及び浄化すると同時に、水を節水する殺菌浄化シャワー器を提供することである。
【課題を解決するための手段】
【００１２】
前記したような目的を達成するための本発明の特徴によれば、本発明による殺菌浄化シャワー器は、内部が中空された円筒状を有し、上下に長く形成され、一側には、ホースが結合される取っ手部と、前記取っ手部の他側に結合され、前記ホースから供給される水を一側に案内する連結部と、前記連結部の一側に形成され、内部が中空された円筒状からなり、内部に複数の部品が設けられるヘッド部と、前記ヘッド部の内部に設けられ、前記ヘッド部の内部に伝達される水を殺菌及び浄化するレドックスリアクターと、前記ヘッド部の一面に設けられ、複数の供給孔が通孔され、前記レドックスリアクターを経て殺菌及び浄化された水が水圧によって噴射される浄水供給板と、前記浄水供給板の一面に設けられ、前記供給孔と対応される噴射孔が複数形成され、前記浄水供給板を介して噴射される水を外部に噴射する噴射板を含み、前記浄水供給板と前記噴射板は、互いに所定間離隔隔されるように設けられ、離隔された空間の間に外部の空気が流入され、水に気泡を形成することによって、バブル水が噴射される。
【００１３】
前記レドックスリアクターは、円筒状を有し、内部に円形リング状の中空部が形成されるフィルタケースと、前記フィルタケースの外周面に設けられ、微細な通孔が複数個形成され、内部に水を供給する吸収壁体と、前記フィルタケースの中空部に設けられ、水と酸化還元反応して水を殺菌及び浄化するレドックスフィルタと、前記フィルタケースの中央に左右に貫通形成され、前記レドックスフィルタを通過して殺菌及び浄化された浄水が外部に排出されるように案内する複数個の浄水排出孔を含む。
【００１４】
更に、前記浄水供給板と前記噴射板のと間の離隔距離を調節する間隔調節部材が備えられ、前記間隔調節部材は、前記噴射板の中央に上下に貫通形成される挿入孔に貫通挿入され、前記浄水供給板の中央にネジ結合され、前記間隔調節部材の回転に応じて離隔距離が調節される。
【００１５】
更に、前記取っ手部の中空部の内部には、円筒状を有し、水と酸化還元反応が生じられ、水を殺菌及び浄化する補助フィルタが備えられる。
【００１６】
更に、前記噴射板と前記浄水供給板との間には、付勢部材が備えられ、前記付勢部材の上端部は、前記浄水供給管に一側に陥没形成される上部固定溝の内部に設けられ、前記付勢部材の下端部は、前記噴射板に一側に陥没形成される下部固定溝の内部に設けられ、前記噴射板が下部方向に付勢支持されることを特徴とる。
【発明の効果】
【００１７】
本発明による殺菌浄化シャワー器は、次のような効果がある。
【００１８】
本発明は、取っ手部とヘッド部の内部にレドックス反応を利用した補助フィルタとレドックスリアクターがそれぞれ設けられ、水に酸化還元反応が生じられ、水の殺菌及び浄化が行われる。
【００１９】
従って、別の殺菌作業を行わなくても、水が殺菌及び浄化された状態でシャワー器に供給され、皮膚疾患がある患者やアトピー疾患を有するユーザーなど様々なユーザーが洗滌を行うことができるので、洗滌時間が短縮され、洗滌効率性を向上させる効果がある。
【００２０】
また、浄水供給板と噴射板との間に空気流入空間が形成され、外部の空気が供給ノズルを介して吐出される浄水に混合され、バブル水が生成されるので、水の使用量を減少させることができ、水圧が増大されて節水による使用効率性を向上させる利点がある。
【図面の簡単な説明】
【００２１】
【図１】本発明による殺菌浄化シャワー器の好ましい実施例の構成を示した斜視図。
【図２】本発明による殺菌浄化シャワー器の好ましい実施例の構成を示した分解斜視図。
【図３】本発明実施例を構成するヘッド部の構成を示した正断面図。
【図４】本発明実施例を構成するヘッド部の構成を示した側断面図。
【図５】本発明実施例を構成する噴射板の構成を示した底面図。
【図６】本発明実施例を構成する噴射板と浄水供給板の構成を示した拡大断面図。
【図７】本発明実施例を構成する間隔調節部材の構成を示した拡大断面図。
【発明を実施するための形態】
【００２２】
以下、本発明による殺菌浄化シャワー器の好ましい実施例を添付された図面を参考して詳細に説明する。
【００２３】
図１には、本発明による殺菌浄化シャワー器の好ましい実施例の構成を示した斜視図が示されており、図２には、本発明による殺菌浄化シャワー器の好ましい実施例の構成を示した分解斜視図が示されており、図３には、本発明の実施例を構成するヘッド部の構成を示した正断面図が示されており、図４には、本発明の実施例を構成するヘッド部の構成を示した側断面図が示されており、図５には、本発明の実施例を構成する噴射板の構成を示した底面図が示されており、図６には、本発明の実施例を構成する噴射板と浄水供給板の構成を示した拡大断面図が示されており、図７には、本発明の実施例を構成する間隔調節部材の構成を示した拡大断面図が示されている。
【００２４】
これらの図面に示されたように、本発明による殺菌浄化シャワー器は、内部が中空された円筒状を有し、上下に長く形成され、一側にホースＨが結合されて水が供給されるように案内する取っ手部１０と、前記取っ手部１０の一側に結合され、水を一側に伝達する連結部１８と、前記連結部１８の一側に形成され、内部が中空された円筒状からなされて内部に複数の部品が設けられるヘッド部２０と、前記ヘッド部２０の内部に設けられ、前記ヘッド部２０の内部に伝達する水を殺菌及び浄化するレドックスリアクター２２と、前記ヘッド部２０の一面に設けられ、前記レドックスリアクター２２を経て殺菌及び浄化された水が水圧によって噴射される浄水供給板４０と、前記浄水供給板４０の一側に所定間隔離隔されるように設けられ、水を外部に噴射する噴射板５０と、前記浄水供給板４０と前記噴射板５０は、所定間隔離隔設けられ、前記浄水供給板４０と前記噴射板５０との間に外部の空気が流入され、水と空気が混合されてバブル水が噴射されることを特徴とする。
【００２５】
前記取っ手部１０は、内部が中空された円筒状を有し、上下に長く形成される。前記取っ手部１０の上、下端の外周面にそれぞれ結合部１２、１４が形成され、後述する連結部１８と水を供給するホースＨがそれぞれ結合されて固定される。前記取っ手部１０は、ユーザーの手が把持される部分であり、ユーザーが前記取っ手部１０の外側を把持してシャワー器の操作が行われる。
【００２６】
前記取っ手部１０の下部には、ホースＨが結合される。前記ホースＨは、一般的なホース(hose)であり、詳細な説明は省略する。前記ホースＨは、一端が水供給源と連結され、他端が前記取っ手部１０の下端部とネジ結合され、前記取っ手部１０の内部に水が供給されるように案内する。
【００２７】
前記取っ手部１０の内部には、補助フィルタ１６が設けられる。前記補助フィルタ１６は、円筒状を有し、銅、亜鉛、銀、マンガン、ニッケル、アルミニウムなどのように標準還元電位差が大きい金属成分を２以上含む合金細糸からなり、酸化還元反応によって各種菌類の殺菌、藻類、コケ及びカビの殺菌、スケール付着防止、配管のさび発生防止、乳化効果、塩素成分除去、重金属除去、鉄イオン除去、悪臭除去の効果がある。
【００２８】
前記取っ手部１０の上端結合部１２には、連結部１８が設けられる。前記連結部１８は、略
【数１】
2017517359.tif 000003
字状を有し、内部が中空された円筒状からなる。前記連結部１８は、前記取っ手部１０の上部にネジ結合されて固定設けられ、前記取っ手部１０を経て上部に移動される水を前方に案内する役割を果たす。
【００２９】
前記連結部１８の前面には、ヘッド部２０が設けられる。前記ヘッド部２０は、内部が中空された円筒状を有し、図３のように、下端に開口部が形成される。前記ヘッド部２０の内部には、複数個の部品が設けられて固定される部分である。
【００３０】
前記ヘッド部２０の内部には、レドックスリアクター２２が設けられる。前記レドックスリアクター２２は、円筒状を有し、内部に円形リング状の中空部２６が形成されるフィルタケース２４と、前記フィルタケース２４の外周面に設けられ、微細な通孔が複数個形成され、内部に水を供給する吸収壁体２８と、前記フィルタケース２４の中空部２６に設けられ、水と酸化還元反応して水を殺菌及び浄化するレドックスフィルタ３０と、前記フィルタケース２４の中央に左右に貫通形成され、前記レドックスフィルタ３０を通過して殺菌及び浄化された浄水が外部に排出されるように案内する複数個の浄水排出孔３４などからなる。
【００３１】
前記フィルタケース２４は、円筒状に形成され、内部に円形リング状の中空部２６が形成される。前記フィルタケース２４の内部には、後述するレドックスフィルタ３０が挿入固定され、前記ヘッド部２０の内部に支持される。
【００３２】
前記ヘッド部２０の側面には、吸収壁体２８が設けられる。前記吸収壁体２８は、多孔性材質からなり、前記フィルタケース２４の側面を覆うように設けられる。前記吸収壁体２８は、微細な通孔が複数個形成され、前記連結部１８を介して流入される水を前記フィルタケース２４の内部に伝達する役割を果たす。
【００３３】
また、前記吸収壁体２８は、多孔性材質からなり、水に混合された異物をろ過するフィルタリング機能を同時に行う。
【００３４】
前記フィルタケース２４の内部には、レドックスフィルタ３０が設けられる。前記レドックスフィルタ３０は、円形リング状を有し、銅、亜鉛、銀、マンガン、ニッケル、アルミニウムなどのように標準還元電位差が大きい金属成分を２以上含む合金細糸からなり、酸化還元反応によって各種菌類の殺菌、藻類、コケ及びカビの殺菌、スケール付着防止、配管のさび発生防止、乳化効果、塩素成分除去、重金属除去、鉄イオン除去、悪臭除去の効果がある。
【００３５】
前記レドックスフィルタ３０に流入される水に酸化還元反応が行われ、殺菌及び浄化が行われる。
【００３６】
前記フィルタケース２４の中央には、排出流路３２が形成される。前記排出流路３２は、下端が開口された中空の円筒状を有し、側面に複数個の浄水排出孔３４が形成される。
【００３７】
すなわち、前記吸収壁体２８を通過した水は、レドックスフィルタ３０によって殺菌及び浄化され、殺菌及び浄化された水は、浄水排出孔３４を介して前記排出流路３２に案内される。
【００３８】
前記レドックスリアクター２２の下部には、殺菌及び浄化された水が流入される浄水流入空間３６が形成される。前記浄水流入空間３６は、前記排出流路３２を介して排出される浄化された水が貯留される空間であり、前記排出流路３２に沿って水が貯留される部分である。
【００３９】
前記浄水流入空間３６の下部には、浄水供給板４０が設けられる。前記浄水供給板４０は、所定厚さを有する円板状で形成される。前記浄水供給板４０は、上部面に複数個の供給孔４２が形成され、前記浄水流入空間３６に貯留される浄水が外部に排出されるように案内する役割を果たす。
【００４０】
前記浄水供給板４０の下部面には、複数個の供給ノズル４４が形成される。前記供給ノズル４４は、略円錐状に形成され、内部に増速流路４６が形成される。前記増速流路４６は、上下に貫通形成され、上側から下側に行くほどだんだん狭く形成され、内部に供給される浄水の流速が増速されて外部に排出される部分である。
【００４１】
すなわち、前記浄水供給板４０の供給孔４２を介して流入された浄水は、前記供給ノズル４４の前記増速流路４６に沿って下部に移動され、流速がより加速されて外部に排出される。
【００４２】
前記浄水供給板４０の下部には、噴射板５０が離隔設けられる。前記噴射板５０は、所定厚さを有する円板状からなり、下部面に略円錐状で突出形成される複数個の噴射ノズル５２が形成される。前記噴射板５０は、前記供給ノズル４４の外部に排出される浄水が空気と混合されてバブル水が形成され、前記バブル水が外部に噴射される部分である。
【００４３】
前記噴射板５０の下部面には、略円錐状で突出する複数個の噴射ノズル５２が形成される。前記噴射ノズル５２は、前記供給ノズル４４と同一の位置に形成され、内部に前記供給ノズル４４を収容する円錐状で陥没形成される収容溝５４が形成される。前記噴射ノズル５２の下部先端には、上下に貫通される噴射孔５６が形成され、前記供給ノズル４４を介して増速された浄水が供給され、空気と混合されて外部に排出される。
【００４４】
前記浄水供給板４０の下部には、ヘッドカバー６０が設けられる。前記ヘッドカバー６０は、内部が中空された円筒状を有し、下部面に内側に突出係止段６２が形成され、前記ヘッド部２０の下端外周面にネジ結合されて固定される。前記ヘッドカバー６０は、前記浄水供給板４０を前記ヘッド部２０の下端に固定する役割を果たす。
【００４５】
前記噴射板５０の中央には、間隔調節部材７０が設けられる。前記間隔調節部材７０は、一般的なネジであり、詳細な説明は省略する。前記間隔調節部材７０は、前記噴射板５０の挿入孔５８に貫通設けられ、上部先端のネジ部が前記浄水供給板４０の中央にネジ結合されて固定される。前記間隔調節部材７０は、ユーザーが直接左、右に回転させて噴射されるバブル水の空気混合量を調節することができる。
【００４６】
すなわち、前記間隔調節部材７０を回転させて上部に移動させる場合には、後述する空気流入空間７２が狭くなって空気の流入量が少なくなり、下部に移動させる場合には、空気流入空間７２が広くなって空気の流入量が多くなり、酸素が多く含まれたバブル水を供給することができる。
【００４７】
前記浄水供給板４０と前記噴射板５０との間には、付勢部材７４が設けられる。前記付勢部材７４は、一般的なばねであり、詳細な説明は省略する。前記付勢部材７４は、ばね以外にも、様々な付勢力を有する治具が適用され得る。前記付勢部材７４の上端部は、前記浄水供給板４０に一側に陥没形成される上部固定溝７６の内部に設けられ、前記付勢部材７４の下端部は、前記噴射板５０に一側に陥没形成される下部固定溝７８の内部に設けられる。前記付勢部材７４は、前記上部固定溝７６と前記下部固定溝７８の内部にそれぞれ設けられ、前記噴射板５０を下部方向に付勢支持する役割を果たす。
【００４８】
前記浄水供給板４０と前記噴射板５０との間には、空気流入空間７２が形成される。前記空気流入空間７２は、前記浄水供給板４０と前記噴射板５０に所定間隔離隔された空間であり、前記空気流入空間７２を介して外部の空気が前記浄水供給板４０と前記噴射板５０との間に供給され、浄水と空気が混合されてバブル水が生成され、外部に排出される。
【００４９】
以下、前記のような構成を有する本発明の殺菌浄化シャワー器の作用に対して、図１〜図７を参照して窺って見る。
【００５０】
先ず、ホースＨを介して水供給源の水が伝達され、供給される水は、取っ手部１０の内部に設けられる補助フィルタ１６を経て、１次フィルタリングされる。前記補助フィルタ１６は、水と酸化還元反応して１次的に水を殺菌及び浄化し、１次浄化された水は、連結部１８に沿って移動されてヘッド部２０に供給される。
【００５１】
前記取っ手部１０は、前記ホースＨと前記連結部１８にそれぞれネジ結合されて固定され、前記取っ手部１０の内部に設けられる前記補助フィルタ１６は、ユーザーが選択的に装着して使用することができる。また、前記ヘッド部２０にレドックスリアクター２２を設ける空間が足りない場合には、前記ヘッド部２０にレドックスリアクター２２を設けずに、前記取っ手部１０に前記補助フィルタ１６のみを設けて使用することができる。
【００５２】
前記連結部１８を通過した水は、排出孔１９を通過してヘッド部２０の内部に伝達される。前記ヘッド部２０の内部に供給された水は、レドックスリアクター２２の側面に沿って設けられた多孔性材質の吸収壁体２８を通過して前記レドックスリアクター２２の内部に流入される。
【００５３】
また、多孔性材質の前記吸収壁体２８を通過しながら、水は、２次フィルタリングが行われ、前記吸収壁体２８を通過した水は、前記レドックスリアクター２２の内部に流入される。前記レドックスリアクター２２の内部に流入された水は、レドックスフィルタ３０によって殺菌及び浄化される。前記レドックスフィルタ３０は、水と酸化還元反応して水を殺菌及び浄化し、細糸からなり、水に含まれた異物を除去する。
【００５４】
前記レドックスフィルタ３０を通過した水は、殺菌及び浄化され、浄水排出孔３４を介して浄水流入空間３６に移動される。前記浄水流入空間３６に貯留される水は、水圧によって浄水供給板４０の供給孔４２に供給される。
【００５５】
前記供給孔４２に流入された浄水は、供給ノズル４４の増速流路４６を通過して流速が増加され、前記増速流路４６を通過した浄水は、前記供給ノズル４４を介して下部に噴射され、空気流入空間７２を介して外部の空気が前記供給ノズル４４の下部に供給される。前記供給ノズル４４を通過した浄水と空気が混合されてバブル水が生成され、噴射ノズルの噴射孔５６を介して外部に噴射され、ユーザーがバブル水を使用するようになる。
【００５６】
また、バブル水に混合される空気の流入量を調節するためには、ユーザーは、間隔調節部材７０を回転させ、前記空気流入空間７２の間隔を調節してユーザーが所望の浄水の空気流入量を調節し、バブル水を生成することができる。
【００５７】
このような本発明の範囲は、前記で例示した実施例に限定されず、前記のような技術範囲の中で当業界の通常の技術者においては、本発明を基にする他の様々な変形が可能だろう。
【図１】
2017517359.tif 000004
【図２】
2017517359.tif 000005
【図３】
2017517359.tif 000006
【図４】
2017517359.tif 000007
【図５】
2017517359.tif 000008
【図６】
2017517359.tif 000009
【図７】
2017517359.tif 000010
【国際調査報告】
2017517359.tif 000011
2017517359.tif 000012
2017517359.tif 000013
2017517359.tif 000014